(57)【要約】【課題】毛髪又はごみ等を容易に取り除くことができるヘアキャッチャーを提供する。【解決手段】ヘアキャッチャー１０は、排水路７内に配置されるヘアキャッチャー本体１０Ａと、少なくとも排水路７のヘアキャッチャー本体１０Ａが配置される領域に流れる排水を渦流Ｓ２にする複数の回転羽根１０Ｂと、排水路７内に配置された状態でヘアキャッチャー本体１０Ａの最も低い位置よりも上流側に配置され、渦流Ｓ２による回転が規制され、毛髪又はごみを捕集する捕集部材１０Ｄとを備えている。【選択図】図１
2019167671.tif 000002
【特許請求の範囲】
【請求項１】
排水路内に配置されるヘアキャッチャー本体と、
少なくとも前記排水路の前記ヘアキャッチャー本体が配置される領域に流れる排水を渦流にする渦流発生手段と、
前記排水路内に配置された状態で前記ヘアキャッチャー本体の最も低い位置よりも上流側に配置され、前記渦流による回転が規制され、毛髪又はごみを捕集する捕集部材と、
を備えていることを特徴とするヘアキャッチャー。
【請求項２】
前記捕集部材は、前記ヘアキャッチャー本体が前記排水路内に配置された状態で、前記排水路の中心軸から放射方向に棒状をなして延びていることを特徴とする請求項１に記載のヘアキャッチャー。
【請求項３】
前記捕集部材は、前記ヘアキャッチャー本体が前記排水路内に配置された状態で、前記排水路が延びる方向に沿って棒状をなして延びていることを特徴とする請求項１に記載のヘアキャッチャー。
【請求項４】
前記ヘアキャッチャー本体が前記排水路内に配置された状態で、前記排水路が延びる方向に沿って延び、前記ヘアキャッチャー本体の中心部に遊嵌された軸部を備え、
複数の前記捕集部材が前記軸部の放射方向の一方側に前記軸部から延びていることを特徴とする請求項２に記載のヘアキャッチャー。
【請求項５】
前記ヘアキャッチャー本体が前記排水路内に配置された状態で、複数の前記捕集部材が前記排水路の中心軸から放射方向の一方側に並んでいることを特徴とする請求項３に記載のヘアキャッチャー。
【請求項６】
前記ヘアキャッチャー本体が前記排水路内に配置された状態で、前記排水路が延びる方向に沿って延び、前記ヘアキャッチャー本体の中心部に遊嵌された軸部を備え、
前記渦流発生手段は、前記ヘアキャッチャー本体が前記排水路内に配置された状態で、前記ヘアキャッチャー本体の下流側に延びた前記軸部周りに配置され、前記軸部周りに回転自在な回転羽根であることを特徴とする請求項１乃至５のいずれか１項に記載のヘアキャッチャー。
【発明の詳細な説明】
【技術分野】
【０００１】
本発明は、ヘアキャッチャーに関する。
【背景技術】
【０００２】
特許文献１のヘアキャッチャーは、ヘアキャッチャー本体の下方に回転羽根が設けられている。このヘアキャッチャーはヘアキャッチャー本体と回転羽根とが排水栓の軸部に回転自在に挿通されている。これにより、このヘアキャッチャーは排水路内に配置された状態において、排水路内に流入した排水が回転羽根にぶつかると、ヘアキャッチャー本体と回転羽根とが排水栓の軸部周りの一方向に回転する。これにより、ヘアキャッチャー本体に捕集された毛髪又はごみがヘアキャッチャー本体の外周側に片寄ってまとめられる。このため、ヘアキャッチャー本体の中心部の網目に毛髪又はごみが付着し難くなり、ヘアキャッチャー本体の中心部の網目から排水を確実に流下させることができる。
【先行技術文献】
【特許文献】
【０００３】
【特許文献１】特開２００９−６８２６４号公報
【発明の概要】
【発明が解決しようとする課題】
【０００４】
しかし、このヘアキャッチャーは、ヘアキャッチャー本体と回転羽根とが排水栓の軸部周りに回転し、この回転によって、捕集された毛髪又はごみに付与される遠心力で、毛髪又はごみがヘアキャッチャー本体に纏わり付いた状態になり易い。このため、このヘアキャッチャーはヘアキャッチャー本体に捕集された毛髪又はごみをヘアキャッチャー本体から取り除き難いと考えられる。
【０００５】
本発明は、上記従来の事情に鑑みてなされたものであって、捕集した毛髪又はゴミ等を容易に取り除くことができるヘアキャッチャーを提供することを解決すべき課題としている。
【課題を解決するための手段】
【０００６】
本発明のヘアキャッチャーは、
排水路内に配置されるヘアキャッチャー本体と、
少なくとも前記排水路の前記ヘアキャッチャー本体が配置される領域に流れる排水を渦流にする渦流発生手段と、
前記排水路内に配置された状態で前記ヘアキャッチャー本体の最も低い位置よりも上流側に配置され、前記渦流による回転が規制され、毛髪又はごみを捕集する捕集部材と、
を備えていることを特徴とする。
【０００７】
排水路に流入した毛髪又はごみはヘアキャッチャー本体が配置される領域の渦流と共にヘアキャッチャー本体内を旋回する。捕集部材はヘアキャッチャー本体の最も低い位置よりも上流側に位置し、渦流によって回転しない。このため、このヘアキャッチャーは、毛髪又はごみがヘアキャッチャー本体に纏わり付くことを抑え、捕集部材でヘアキャッチャー本体内を旋回する毛髪又はごみを効率よく捕集することができる。
【０００８】
したがって、本発明のヘアキャッチャーは毛髪又はごみ等を容易に取り除くことができる。
【図面の簡単な説明】
【０００９】
【図１】実施例１のヘアキャッチャーが排水路に配置された状態であって、排水栓本体が排水口を開放した状態を示す断面図である。
【図２】実施例１のヘアキャッチャーが排水路に配置された状態であって、排水栓本体が排水口を閉鎖した状態を示す断面図である。
【図３】図１における矢示Ａ−Ａ断面図である。
【図４】実施例１のヘアキャッチャーを排水路から取り出した状態を示す断面図である。
【図５】実施例２のヘアキャッチャーが排水路に配置された状態を拡大して示す断面図である。
【図６】実施例３のヘアキャッチャーが排水路に配置された状態を示す断面図である。
【図７】図６における矢示Ｂ−Ｂ断面図である。
【発明を実施するための形態】
【００１０】
本発明における好ましい実施の形態を説明する。
【００１１】
本発明のヘアキャッチャーの捕集部材は、ヘアキャッチャー本体が排水路内に配置された状態で、排水路の中心軸から放射方向に棒状をなして延び得る。この場合、棒状の捕集部材に捕集された毛髪又はごみは排水路の中心軸から放射方向に移動させることによって容易に取り除くことができる。
【００１２】
本発明のヘアキャッチャーの捕集部材は、ヘアキャッチャー本体が排水路内に配置された状態で、排水路が延びる方向に沿って棒状をなして延び得る。この場合、棒状の捕集部材に捕集された毛髪又はごみは排水路が延びる方向に沿って移動させることによって容易に取り除くことができる。
【００１３】
本発明のヘアキャッチャーは、ヘアキャッチャー本体が排水路内に配置された状態で、排水路が延びる方向に沿って延び、ヘアキャッチャー本体の中心部に遊嵌された軸部を備え、複数の捕集部材が軸部の放射方向の一方側に軸部から延び得る。この場合、各捕集部材に捕集された毛髪又はごみは軸部の放射方向の一方側に位置することになる。このため、各捕集部材に捕集された毛髪又はごみは軸部の一方側で一度にまとめて取り除き易い。
【００１４】
本発明のヘアキャッチャーは、ヘアキャッチャー本体が排水路内に配置された状態で、複数の捕集部材が排水路の中心軸から放射方向の一方側に並び得る。この場合、捕集部材に捕集された毛髪又はごみは排水路の中心軸の放射方向の一方側に位置することになる。このため、捕集部材に捕集された毛髪又はごみは排水路の中心軸から放射方向の一方側で一度にまとめて取り除き易い。
【００１５】
本発明のヘアキャッチャーは、ヘアキャッチャー本体が排水路内に配置された状態で、排水路が延びる方向に沿って延び、ヘアキャッチャー本体の中心部に遊嵌された軸部を備え、渦流発生手段は、ヘアキャッチャー本体が排水路内に配置された状態で、ヘアキャッチャー本体の下流側に延びた軸部周りに配置され、軸部周りに回転自在な回転羽根であり得る。この場合、回転羽根の形状を変更することによって、排水路内に生じる渦流の状態を所望の状態に容易に変更することができる。
【００１６】
次に、本発明のヘアキャッチャーを具体化した実施例１〜３について、図面を参照しつつ説明する。
【００１７】
＜実施例１＞
実施例１のヘアキャッチャー１０は、図１、２に示すように、洗面器１の排水口３に連通して下方向（上下は、図１における上側、下側である。）に延びる排水路７内に配置される。
洗面器１の排水口３は、洗面器１の上方から見た平面視において、円形に開口しており、洗面器１の底面１Ａから内側下方に向けて曲面で形成され、下方に向かって徐々に縮径し、下端部で内側に突出した縁部５を形成している。
【００１８】
排水路７は、上流端が排水口３の下端部の縁部５に連通した状態で係止して連結し、下方に延びる垂下部７Ａと、垂下部７Ａの下端部に連結し水平方向に延びた水平部７Ｂを有している。また、垂下部７Ａの上端部は下側より内径が大きく形成されており、内径が大きく形成された部分の下端には段部７Ｃが形成されている。排水路７は洗面器１から排水が流入する。
【００１９】
ヘアキャッチャー１０は、ヘアキャッチャー本体１０Ａ、渦流発生手段である複数の回転羽根１０Ｂ、軸部１０Ｃ、及び複数の捕集部材１０Ｄを備えている。
ヘアキャッチャー本体１０Ａは、ほぼ椀状をなしており、水が通過する複数の貫通孔１０Ｅが貫通して設けられている。また、ヘアキャッチャー本体１０Ａの上端部の外周縁には、ヘアキャッチャー本体１０Ａの中心から放射方向に突出する複数の突起部１０Ｆが設けられている（図３参照。）。ヘアキャッチャー本体１０Ａは、排水路７の垂下部７Ａの段部７Ｃにこれら突起部１０Ｆを係止して排水路７内に配置されている。
また、ヘアキャッチャー本体１０Ａの中央部には後述する軸部１０Ｃを遊嵌する貫通孔１０Ｇが設けられている。ヘアキャッチャー本体１０Ａは軸部１０Ｃが昇降しても昇降せず、排水路７の垂下部７Ａの段部７Ｃに突起部１０Ｆが係止された状態を維持することができる。
【００２０】
複数の回転羽根１０Ｂは、ヘアキャッチャー本体１０Ａの貫通孔１０Ｇの下端に連通し下方向に円筒状をなして延びる円筒部１０Ｈに複数が連結されている。つまり、各回転羽根１０Ｂはヘアキャッチャー本体１０Ａが排水路７内に配置された状態で、ヘアキャッチャー本体１０Ａの下流側に延びた軸部１０Ｃ周りに配置されている。各回転羽根１０Ｂは板状をなして円筒部１０Ｈの中心軸の放射方向に拡がっている。各回転羽根１０Ｂは円筒部１０Ｈが延びる方向に対して円筒部１０Ｈの周方向の一方向に下って傾斜している。
【００２１】
軸部１０Ｃは円柱状をなして上下方向に延びている。軸部１０Ｃはヘアキャッチャー本体１０Ａの貫通孔１０Ｇ及び円筒部１０Ｈに遊嵌されている。つまり、軸部１０Ｃはヘアキャッチャー本体１０Ａが排水路７内に配置された状態で、排水路７が延びる方向に沿って延び、ヘアキャッチャー本体１０Ａの中心部に遊嵌されている。また、ヘアキャッチャー本体１０Ａ及び回転羽根１０Ｂは軸部１０Ｃに対して回転自在である。
複数の捕集部材１０Ｄはそれぞれが棒状をなしている。各捕集部材１０Ｄは軸部１０Ｃの中心軸の同じ放射方向（すなわち、放射方向の一方側）に軸部１０Ｃから延びており、互いの間に所定の寸法を設けている。各捕集部材１０Ｄはそれぞれの一端が軸部１０Ｃの外周面に連結されている。
つまり、各捕集部材１０Ｄは、ヘアキャッチャー本体１０Ａが排水路７内に配置された状態で、排水路７の中心軸から放射方向に棒状をなして延びている。
各捕集部材１０Ｄは軸部１０Ｃの中心軸に平行で、軸部１０Ｃの中心軸を通り、軸部１０Ｃの中心軸の放射方向の一方側に拡がる架空平面上に配置されている。
また、各捕集部材１０Ｄは排水路７内に配置された状態でヘアキャッチャー本体１０Ａの最も低い位置よりも上流側に配置されている。
【００２２】
また、軸部１０Ｃには、排水栓本体１０Ｊ及び第１保持部１０Ｋが連結されている。
排水栓本体１０Ｊは円盤状をなしており、円盤状の中心が軸部１０Ｃの上端に連結されている。排水栓本体１０Ｊの外径は排水口３の上端部（洗面器１の底面１Ａから下方に傾斜し始めた部分）の径よりも小さく、排水路７の垂下部７Ａの上端部の外径よりも大きい。また、排水栓本体１０Ｊの下部周縁にはパッキン１０Ｌが取り付けられている。排水栓本体１０Ｊが下降するとパッキン１０Ｌの外周面が排水口３の内面に当接し、排水口３を水密状に閉鎖する。
第１保持部１０Ｋは軸部１０Ｃの下端に連結されている。第１保持部１０Ｋには第１マグネット１０Ｍが収納されている。第１マグネット１０Ｍは永久磁石である。第１マグネット１０Ｍは、下面がＳ極、上面がＮ極になるように第１保持部１０Ｋに収納されている。
ヘアキャッチャー１０、排水栓本体１０Ｊ、パッキン１０Ｌ、第１保持部１０Ｋ、及び第１マグネット１０Ｍは、排水路７に着脱自在である。
【００２３】
また、軸部１０Ｃは、排水栓本体１０Ｊと第１保持部１０Ｋとを連結しており、排水栓本体１０Ｊが排水口３を開閉する際に、排水栓本体１０Ｊ、パッキン１０Ｌ、第１保持部１０Ｋ、及び第１マグネット１０Ｍと共に一体的に排水路７の垂下部７Ａ内を昇降する。つまり、軸部１０Ｃは、排水栓本体１０Ｊ、パッキン１０Ｌ、第１保持部１０Ｋ、及び第１マグネット１０Ｍと共に、排水口３を開閉する排水栓５０を構成している。
また、排水栓５０は、排水路７の垂下部７Ａの中心軸周りに回転しない構成とされている。また、軸部１０Ｃに連結された各捕集部材１０Ｄも排水路７の垂下部７Ａの中心軸周りに回転しない。
【００２４】
排水路７の水平部７Ｂの外側面には、水平部７Ｂと一体的に形成され、内部に空間が形成されたケース４０が設けられている。そして、ケース４０内には、第１マグネット１０Ｍで生じる磁界に対して反発する磁界を生成する第２マグネット４０Ａ、第２マグネット４０Ａを保持する第２保持部４０Ｂ、及びピストン４０Ｃが配置されている。第２マグネット４０Ａは永久磁石である。
【００２５】
第２保持部４０Ｂはケース４０内の上部に設けられた軸部４０Ｄ周りに水平方向に配置された水平状態（図１参照）、及び垂直方向に配置された垂直状態（図２参照）に回動自在になるように、軸部４０Ｄに連結されている。第２保持部４０Ｂには第２マグネット４０Ａが収納されている。第２マグネット４０Ａは、第２保持部４０Ｂが水平状態において、上面がＳ極、下面がＮ極になるように第２保持部４０Ｂに収納されている。
【００２６】
ピストン４０ＣにはワイヤＷの一端が連結されている。ワイヤＷの他端は、例えば、洗面器１の上端部の周縁近傍に設けられた操作部（図示せず）に連結されている。操作部を操作すると、ワイヤＷを介して操作部を操作する操作力がピストン４０Ｃに伝達される。これにより、ピストン４０Ｃがケース４０内を移動して、第２保持部４０Ｂを垂直状態又は水平状態にすることができる。
【００２７】
操作部を操作して、第２保持部４０Ｂを垂直状態から水平状態にする場合について説明する。操作部を操作すると、ワイヤＷを介して操作部を操作する操作力がピストン４０Ｃに伝達され、第２保持部４０Ｂがピストン４０Ｃによって押される。これにより、垂直状態の第２保持部４０Ｂは軸部４０Ｄ周りに回動し水平状態に変化する（図１参照。）。すると、第２マグネット４０ＡのＳ極側の面が第１マグネット１０Ｍの下面（すなわち、Ｓ極側の面）の真下に位置する。これにより、図１に示すように、排水栓５０及び軸部１０Ｃに連結された各捕集部材１０Ｄは第１マグネット１０Ｍと第２マグネット４０Ａとの間で生じる反発力によって排水路７内の垂下部７Ａを上昇し、排水栓本体１０Ｊが排水口３を開放する。このとき、ヘアキャッチャー本体１０Ａ及び各回転羽根１０Ｂは上昇せず、排水路７の垂下部７Ａの段部７Ｃに突起部１０Ｆが係止された状態を維持する。
【００２８】
次に、操作部を操作して、第２保持部４０Ｂを水平状態から垂直状態にする場合について説明する。操作部を操作すると、ピストン４０Ｃは第２保持部４０Ｂを押し上げて水平状態にする位置から第２保持部４０Ｂを垂直状態にする位置にケース４０内を移動する。これにより、水平状態の第２マグネット４０Ａが軸部４０Ｄ周りに回動し垂直状態に変化し、第１マグネット１０Ｍから遠ざかり、第１マグネット１０Ｍと第２マグネット４０Ａとの間で生じる反発力が小さくなる。このため、図２に示すように、排水栓５０及び各捕集部材１０Ｄは上昇した位置から下降し、排水栓本体１０Ｊが排水口３を閉鎖する。
【００２９】
次に、ヘアキャッチャー１０における作用について説明する。
排水口３から排水路７に流入した排水は、図１に示すように、ヘアキャッチャー本体１０Ａを通過して各回転羽根１０Ｂにぶつかる。すると、各回転羽根１０Ｂにぶつかった排水は、各回転羽根１０Ｂの傾斜に沿って流れ、円筒部１０Ｈの周方向の一方向に旋回しつつ流下する。これにより、ヘアキャッチャー本体１０Ａの下側で渦流Ｓ１が生じる。
渦流Ｓ１が生じると、各回転羽根１０Ｂより上方（すなわち、ヘアキャッチャー本体１０Ａの下端より上側）の排水路７の垂下部７Ａ内において、流下する排水の流れる向きが渦流Ｓ１に誘導されて、軸部１０Ｃの周方向の一方向に旋回する向きになり、渦流Ｓ２が生じる。こうして、ヘアキャッチャー本体１０Ａが配置された排水路７内の領域で渦流Ｓ２が生じる。つまり、回転羽根１０Ｂは少なくとも排水路７のヘアキャッチャー本体１０Ａが配置される領域に流れる排水を渦流Ｓ２にする。
各捕集部材１０Ｄは軸部１０Ｃに連結されており、渦流Ｓ２による排水路７の垂下部７Ａに対する回転が規制されている。これにより、各捕集部材１０Ｄは渦流Ｓ２と共に旋回する毛髪又はごみを良好に捕集することができる。
【００３０】
また、各捕集部材１０Ｄに捕集された毛髪又はごみを各捕集部材１０Ｄから取り除く場合、ヘアキャッチャー１０、排水栓本体１０Ｊ、パッキン１０Ｌ、第１保持部１０Ｋ、及び第１マグネット１０Ｍを排水路７から取り出す。このとき、例えば、排水栓本体１０Ｊの外周縁を把持してヘアキャッチャー１０、排水栓本体１０Ｊ、パッキン１０Ｌ、第１保持部１０Ｋ、及び第１マグネット１０Ｍを排水路７から取り出す。このとき、ヘアキャッチャー本体１０Ａ、及び各回転羽根１０Ｂが第１保持部１０Ｋに近づく方向に軸部１０Ｃを移動させると、各捕集部材１０Ｄがヘアキャッチャー本体１０Ａの上方に位置することになる（図４参照。）。これにより、各捕集部材１０Ｄに捕集された毛髪又はごみを容易に捕集部材１０Ｄから取り除くことができる。
【００３１】
このように、排水路７に流入した毛髪又はごみはヘアキャッチャー本体１０Ａが配置される領域の渦流Ｓ２と共にヘアキャッチャー本体１０Ａ内を旋回する。各捕集部材１０Ｄはヘアキャッチャー本体１０Ａの最も低い位置よりも上流側に位置し、渦流Ｓ２によって回転しない。このため、ヘアキャッチャー１０は、毛髪又はごみがヘアキャッチャー本体１０Ａに纏わり付くことを抑え、捕集部材１０Ｄでヘアキャッチャー本体１０Ａ内を旋回する毛髪又はごみを効率よく捕集することができる。
【００３２】
したがって、実施例１のヘアキャッチャー１０は毛髪又はごみ等を容易に取り除くことができる。
【００３３】
また、ヘアキャッチャー１０の捕集部材１０Ｄは、ヘアキャッチャー本体１０Ａが排水路７内に配置された状態で、排水路７の垂下部７Ａの中心軸から放射方向に棒状をなして延びている。このため、棒状の捕集部材１０Ｄに捕集された毛髪又はごみは排水路７の垂下部７Ａの中心軸から放射方向に移動させることによって容易に取り除くことができる。
【００３４】
また、ヘアキャッチャー１０は、ヘアキャッチャー本体１０Ａが排水路７内に配置された状態で、排水路７の垂下部７Ａが延びる方向に沿って延び、ヘアキャッチャー本体１０Ａの中心部に遊嵌された軸部１０Ｃを備え、複数の捕集部材１０Ｄが軸部１０Ｃの放射方向の一方側に軸部１０Ｃから延びている。このため、各捕集部材１０Ｄに捕集された毛髪又はごみは軸部１０Ｃの放射方向の一方側に位置することになる。このため、各捕集部材１０Ｄに捕集された毛髪又はごみは軸部１０Ｃの一方側で一度にまとめて取り除き易い。
【００３５】
また、ヘアキャッチャー１０は、ヘアキャッチャー本体１０Ａが排水路７内に配置された状態で、排水路７の垂下部７Ａが延びる方向に沿って延び、ヘアキャッチャー本体１０Ａの中心部に遊嵌された軸部１０Ｃを備え、回転羽根１０Ｂは、ヘアキャッチャー本体１０Ａが排水路７内に配置された状態で、ヘアキャッチャー本体１０Ａの下流側に延びた軸部１０Ｃ周りに配置され、軸部１０Ｃ周りに回転自在である。このため、回転羽根１０Ｂの形状を変更することによって、排水路７内に生じる渦流Ｓ１、Ｓ２の状態を所望の状態に容易に変更することができる。
【００３６】
＜実施例２＞
実施例２のヘアキャッチャー１１０は、図５に示すように、各捕集部材１１０Ｄが延びる方向が実施例１と相違する。他の構成は実施例１と同様であり、同一の構成は同一の符号を付して詳細な説明を省略する。
【００３７】
実施例２のヘアキャッチャー１１０の捕集部材１１０Ｄは棒状をなしており、排水路７の垂下部７Ａが延びる方向に複数が延びている。また、軸部１１０Ｃの外周面には、棒状をなし、軸部１１０Ｃの中心軸の放射方向に延びる基部１１０Ｎが設けられている。各捕集部材１１０Ｄは下端が基部１１０Ｎの上側に連結されている。
つまり、複数の捕集部材１１０Ｄは、ヘアキャッチャー本体１０Ａが排水路７内に配置された状態で、排水路７の垂下部７Ａが延びる方向に沿って棒状をなして延びており、排水路７の垂下部７Ａの中心軸から放射方向の一方側に並んでいる。
各捕集部材１１０Ｄは軸部１１０Ｃの中心軸に平行で、軸部１１０Ｃの中心軸を通り、軸部１１０Ｃの中心軸の放射方向の一方向に拡がる架空平面上に配置されている。
【００３８】
このように、排水路７に流入した毛髪又はごみはヘアキャッチャー本体１０Ａが配置される領域の渦流Ｓ２と共にヘアキャッチャー本体１０Ａ内を旋回する。各捕集部材１１０Ｄはヘアキャッチャー本体１０Ａの最も低い位置よりも上流側に位置し、渦流Ｓ２によって回転しない。このため、ヘアキャッチャー１１０は、毛髪又はごみがヘアキャッチャー本体１０Ａに纏わり付くことを抑え、捕集部材１１０Ｄでヘアキャッチャー本体１０Ａ内を旋回する毛髪又はごみを効率よく捕集することができる。
【００３９】
したがって、実施例２のヘアキャッチャー１１０も毛髪又はごみ等を容易に取り除くことができる。
【００４０】
また、ヘアキャッチャー１１０の捕集部材１１０Ｄは、ヘアキャッチャー本体１０Ａが排水路７内に配置された状態で、排水路７の垂下部７Ａが延びる方向に沿って棒状をなして延びている。このため、捕集部材１１０Ｄに捕集された毛髪又はごみは排水路７の垂下部７Ａが延びる方向に沿って移動させることによって容易に取り除くことができる。
【００４１】
また、ヘアキャッチャー１１０は、ヘアキャッチャー本体１０Ａが排水路７内に配置された状態で、複数の捕集部材１１０Ｄが排水路７の垂下部７Ａの中心軸から放射方向の一方側に並んでいる。このため、捕集部材１１０Ｄに捕集された毛髪又はごみは排水路７の垂下部７Ａの中心軸の放射方向の一方側に位置することになる。このため、捕集部材１１０Ｄに捕集された毛髪又はごみは排水路７の垂下部７Ａの中心軸から放射方向の一方側で一度にまとめて取り除き易い。
【００４２】
＜実施例３＞
実施例３のヘアキャッチャー２１０は、図６、７に示すように、捕集部材２１０Ｄがヘアキャッチャー本体２１０Ａから延びている点、及び排水路７の垂下部７Ａの段部７Ｃに一対の凸部７Ｄが形成されている点等が実施例１、２と相違する。他の構成は実施例２と同様であり、同一の構成は同一の符号を付して詳細な説明を省略する。
【００４３】
実施例３の捕集部材２１０Ｄは棒状をなし、排水路７の垂下部７Ａが延びる方向に複数が延びている。各捕集部材２１０Ｄは下端がヘアキャッチャー本体２１０Ａの底部の上側に連結されている。また、各捕集部材２１０Ｄは、排水路７の垂下部７Ａの中心軸から同じ放射方向（すなわち、放射方向の一方側）に並んでいる。
各捕集部材２１０Ｄは軸部２１０Ｃの中心軸に平行で、軸部２１０Ｃの中心軸を通り、軸部２１０Ｃの中心軸の放射方向の一方側に拡がる架空平面上に配置されている。
【００４４】
排水路７の垂下部７Ａの段部７Ｃには、図７に示すように、互いに対向し、内向きに突出する一対の凸部７Ｄが設けられている。
ヘアキャッチャー本体２１０Ａは、排水路７の垂下部７Ａの段部７Ｃに凸部７Ｄを係止している。これら突起部１０Ｆの内の反対方向に位置する２つは、段部７Ｃの一対の凸部７Ｄに隣り合い配置される。これにより、ヘアキャッチャー本体２１０Ａは排水路７の垂下部７Ａに対して回転することが規制される。
【００４５】
次に、ヘアキャッチャー２１０における作用について説明する。
ヘアキャッチャー本体２１０Ａは、排水路７の垂下部７Ａの段部７Ｃに形成された凸部７Ｄによって排水路７の垂下部７Ａに対する回転が規制されている。捕集部材２１０Ｄもヘアキャッチャー本体２１０Ａに連結されており渦流Ｓ２による排水路７の垂下部７Ａに対する回転が規制されている。これにより、捕集部材２１０Ｄは渦流Ｓ２と共に旋回する毛髪又はごみを良好に捕集することができる。
【００４６】
このように、排水路７に流入した毛髪又はごみはヘアキャッチャー本体２１０Ａが配置される領域の渦流Ｓ２と共にヘアキャッチャー本体２１０Ａ内を旋回する。各捕集部材２１０Ｄはヘアキャッチャー本体２１０Ａの最も低い位置よりも上流側に位置し、渦流Ｓ２によって回転しない。このため、ヘアキャッチャー２１０は、毛髪又はごみがヘアキャッチャー本体２１０Ａに纏わり付くことを抑え、捕集部材２１０Ｄでヘアキャッチャー本体２１０Ａ内を旋回する毛髪又はごみを効率よく捕集することができる。
【００４７】
したがって、実施例３のヘアキャッチャー２１０も毛髪又はごみ等を容易に取り除くことができる。
【００４８】
本発明は上記記述及び図面によって説明した実施例１〜３に限定されるものではなく、例えば次のような実施例も本発明の技術的範囲に含まれる。
（１）実施例１〜３では捕集部材が複数設けられているが、捕集部材が１つであってもよい。また、実施例１〜３では、軸部の中心軸に平行で、軸部の中心軸を通り、軸部の中心軸の放射方向の一方向に拡がる架空平面上に各捕集部材が配置されているが、軸部の中心軸の放射方向に延びる複数の捕集部材が軸部の外周面の周方向に並んで延びて、軸部の外周面において半円状の領域に対応する放射方向に配置されていてもよい。
（２）実施例１〜３では、回転羽根によって排水路内に渦流を形成しているが、洗面器の底に、排水口に向けて延びる螺旋状の溝やリブ等を設け、排水路に流入する排水を予め旋回させることによって排水路内に渦流を形成してもよい。
（３）実施例１〜３では、ヘアキャッチャーが洗面器に連通した排水路に配置されているが、浴室や浴槽等の排水口に配置してもよい。
（４）実施例１では捕集部材が軸部に連結し、実施例２では捕集部材が基部を介して軸部に連結し、実施例３では捕集部材がヘアキャッチャー本体に連結しているが、上下方向に延びる捕集部材の上端を排水栓本体の下側に連結してもよい。
【符号の説明】
【００４９】
１０，１１０，２１０…ヘアキャッチャー
１０Ａ，２１０Ａ…ヘアキャッチャー本体
１０Ｂ…回転羽根（渦流発生手段）
１０Ｃ，１１０Ｃ，２１０Ｃ…軸部
１０Ｄ，１１０Ｄ，２１０Ｄ…捕集部材
【図１】
2019167671.tif 000003
【図２】
2019167671.tif 000004
【図３】
2019167671.tif 000005
【図４】
2019167671.tif 000006
【図５】
2019167671.tif 000007
【図６】
2019167671.tif 000008
【図７】
2019167671.tif 000009